(57)【要約】【課題】扉を持ち上げても、箱本体の内部に水滴が落下することのない電気機器収納用箱を提供する。【解決手段】開口部４を上向きとして設置された箱本体１と、この箱本体１に蝶番３により取り付けられ、前記開口部４を覆う上開き式の扉２とを備えた電気機器収納用箱である。該箱本体１は、前記開口部４の周縁を内側に折り曲げた水平辺７と立上辺８とからなる水切部６を備え、該扉２は、少なくとも蝶番３とは反対側に、下方に折り曲げた垂下辺１０を備え、前記垂下辺１０と箱本体１の水平辺７との間に塞ぎ部材１２を設け、塞ぎ部材１２は表面張力により水膜が形成されることを防止することが好ましい。前記塞ぎ部材１２の材質を、非吸水性の材質とすることが好ましい。【選択図】図４
2014036454.tif 000002
【特許請求の範囲】
【請求項１】
開口部を上向きとして設置された箱本体と、この箱本体に蝶番により取り付けられ、前記開口部を覆う上開き式の扉とを備えた電気機器収納用箱であって、
該箱本体は、前記開口部の周縁を内側に折り曲げた水平辺と立上辺とからなる水切部を備え、
該扉は、少なくとも蝶番とは反対端部側に、垂下辺とその先端から前記水平辺と平行に折り返された折返辺を備え、
前記折返辺と前記水平辺との間に、塞ぎ部材を設けたことを特徴とする電気機器収納用箱。
【請求項２】
前記塞ぎ部材は、前記折返辺と前記水平辺との間に、これら２辺間に浸入した水が表面張力により水膜を形成することを防止することを特徴とする請求項１記載の電気機器収納用箱。
【請求項３】
前記塞ぎ部材は、前記垂下辺及び水平辺の端部よりも内側であって、前記折返辺と水平辺との間に表面張力により水膜が形成される位置よりも外側に設けたことを特徴とする請求項２記載の電気機器収納用箱。
【請求項４】
前記塞ぎ部材は、前記折返辺又は前記水平辺に一体に取り付けたことを特徴とする請求項１に記載の電気機器収納用箱。
【請求項５】
前記塞ぎ部材の材質を、非吸水性の材質としたことを特徴とする請求項１記載の電気機器収納用箱。
【請求項６】
前記水切部と扉の裏面との間に、防水パッキンを設けたことを特徴とする請求項１に記載の電気機器収納用箱。
【請求項７】
開口部を上向きとして設置された箱本体と、この箱本体に蝶番により取り付けられ、前記開口部を覆う上開き式の扉とを備えた電気機器収納用箱であって、
該箱本体は、前記開口部の周縁を内側に折り曲げた水平辺と立上辺とからなる水切部を備え、
該扉は、少なくとも蝶番とは反対端部側に、垂下辺を備え、
前記垂下辺と前記水平辺との間に、塞ぎ部材を設けたことを特徴とする電気機器収納用箱。
【発明の詳細な説明】
【技術分野】
【０００１】
本発明は、扉を備えた開口部を上向きにして設置される電気機器収納用箱に関するものである。
【背景技術】
【０００２】
電気機器収納用箱には、太陽光システムの集電装置のように家屋の屋根上に設置されるものがある。このような電気機器収納用箱を屋根上に立てて設置すると、太陽光パネルに電気機器収納用箱の影がかかり発電効率を低下させるおそれがある。そのため、特許文献１のように、箱本体の開口部が上向きになるよう電気機器収納用箱を屋根面に寝かせて設置されることがある。
【０００３】
電気機器収納用箱の箱本体には上面の開口部を覆う扉が蝶番によって取り付けられており、この扉を上方に持ち上げるように開いて内部機器の交換作業を行う。図７、図８に示すように、このような扉１はその強度を向上させるために、蝶番とは反対側の辺を内側にコ字状に折り返して折返辺１１を形成してあることが一般的である。また、箱本体１の開口部の周縁を図８に示すように内側に折り曲げて水平辺７、立上辺８、折曲辺９を形成し、折曲辺９と扉２の裏面との間に防水パッキン１３を配置して雨水の浸入を防止する水切り構造を形成している。
【０００４】
このため、扉２を閉じた状態では箱本体１の内部に雨水が浸入するおそれはない。しかし、図８に示すように扉２の折返辺１１と箱本体１の水平辺７との間に入った水滴１００が図８のように表面張力によって水膜２００を形成して溜り、図９のように扉２を持ち上げて開くと水滴１００ａとなって箱本体１の内部に落ち、内部の電気機器に悪影響を及ぼすことがある。この問題を避けるために、扉２を開く前に作業者が箱本体１の外郭に付着した水滴を拭き取り、水膜を除去したうえで扉２を開いている。しかし、隙間にたまった水滴１００を見落としかねず、更に、完全に水膜を拭き取ることは難しく、拭き取り作業自体も手間がかかるという問題があった。
【先行技術文献】
【特許文献】
【０００５】
【特許文献１】特開２０１０−２７２５５９号公報
【発明の概要】
【発明が解決しようとする課題】
【０００６】
従って本発明の目的は前記した従来の問題点を解決し、事前に水膜を拭き取り易く、また、扉を持ち上げて開いても、箱本体の内部に水滴が落下する危険性が少ない電気機器収納用箱を提供することである。
【課題を解決するための手段】
【０００７】
上記の課題を解決するためになされた本発明は、開口部を上向きとして設置された箱本体と、この箱本体に蝶番により取り付けられ、前記開口部を覆う上開き式の扉とを備えた電気機器収納用箱であって、該箱本体は、前記開口部の周縁を内側に折り曲げた水平辺と立上辺とからなる水切部を備え、該扉は、少なくとも蝶番とは反対端部側に、垂下辺とその先端から前記水平辺と平行に折り返された折返辺を備え、前記折返辺と前記水平辺との間に、塞ぎ部材を設けたことを特徴とするものである。また、前記塞ぎ部材は、前記折返辺と前記水平辺との間にこれら２辺間に浸入した水が表面張力により水膜を形成することを防止することを特徴とするものである。
【０００８】
なお、前記塞ぎ部材は、前記垂下辺及び水平辺の端部よりも内側であって、前記折返辺と水平辺との間に表面張力により水膜が形成される位置よりも外側に設けることが好ましい。また前記塞ぎ部材を前記折返辺又は前記水平辺に一体に取り付けることが好ましく、前記塞ぎ部材の材質を、非吸水性の材質とすることが好ましい。さらに、巻き込む雨水が箱本体内部に浸入することを防止するため、前記水切部と扉の裏面との間に、防水パッキンを設けておくことが好ましい。また、開口部を上向きとして設置された箱本体と、この箱本体に蝶番により取り付けられ、前記開口部を覆う上開き式の扉とを備えた電気機器収納用箱であって、該箱本体は、前記開口部の周縁を内側に折り曲げた水平辺と立上辺とからなる水切部を備え、該扉は、少なくとも蝶番とは反対端部側に、垂下辺を備え、前記垂下辺と前記水平辺との間に、塞ぎ部材を設けたものであっても良い。
【発明の効果】
【０００９】
本発明に係る電気機器収納用箱は、少なくとも蝶番とは反対側の扉の垂下辺と箱本体の水平辺との間に、塞ぎ部材を設けている。これにより、折返辺または垂下辺と水平辺との間に雨水が浸入することが防止され、この部分に表面張力によって水膜が形成されることがなくなるか、仮に形成されてもその量が少なくなる。また、前記垂下辺及び水平辺の端部よりも内側であって、前記折返辺と水平辺との間に表面張力により水膜が形成される位置よりも外側に設けたことにより、表面張力により水膜が形成することを防止する塞ぎ部材を設けることによって水滴は外から拭き取れる位置にあり、また、筐体に沿って水滴が流れ落ちるものである。そのため、扉を持ち上げて開いても箱本体内に水滴が落下することがなく、安全である。また従来のように吸水紙などによって予め水膜を除去する手数を省くことができる。
【００１０】
なお、塞ぎ部材を非吸水性の材質とすることにより、塞ぎ部材が吸水し扉を持ち上げた際に塞ぎ部材内部から水滴が滴ることがない。さらに、塞ぎ部材とは別に防水パッキンを設けることにより、巻き込んで侵入した雨水が箱本体内部に侵入することを防止するため、二重の雨水浸入防止構造とすることができる。
【図面の簡単な説明】
【００１１】
【図１】第１の実施形態を示す斜視図である。
【図２】第１の実施形態の扉を持ち上げた状態を示す斜視図である。
【図３】第１の実施形態の要部説明図である。
【図４】第１の実施形態の要部断面図である。
【図５】第２の実施形態を示す斜視図である。
【図６】第３の実施形態を示す斜視図である。
【図７】従来例を示す要部断面図である。
【図８】従来例を示す要部断面図である。
【図９】従来例の扉を持ち上げた状態を示す説明図である。
【図１０】塞ぎ部材の配置例１を示す要部断面図である。
【図１１】塞ぎ部材の配置例２を示す要部断面図である。
【図１２】塞ぎ部材の配置例３を示す要部断面図である。
【図１３】塞ぎ部材の配置例４を示す要部断面図である。
【図１４】塞ぎ部材の配置例５を示す要部断面図である。
【図１５】塞ぎ部材を折返辺に配置した状態を示す要部断面図である。
【図１６】塞ぎ部材を水平辺に配置した状態を示す要部断面図である。
【発明を実施するための形態】
【００１２】
以下に本発明の好ましい実施形態を示す。
図１〜図４は本発明の第１の実施形態を示す図であり、図１及び図２において、１は内部に電気機器を収納する箱本体、２は箱本体に蝶番３によって取り付けられた扉である。この電気機器収納用箱は例えば太陽光システムの集電装置の収納ボックスであり、箱本体１の開口部４を上向きにして家屋の屋根上などに設置され、開口部４を上開き式の扉２で覆っている。扉２は取手５を持ち上げることにより上方に開くことができる。
【００１３】
図３及び図４に示すように、箱本体１は、開口部４の周縁を内側に折り曲げた断面略コ字状の水切部６を備えている。本実施形態では水切部６は、箱本体１の底面に対して平行な水平辺７と、水平辺７の前端から垂直方向に伸びる立上辺８と、立上辺８の前端から外側に向かって水平に伸びる折曲辺９とからなる。扉２を閉じた状態において、この折曲辺９の上面を扉２の裏面に取り付けられた防水パッキン１３に密着させることにより、箱本体１の内部に雨水が浸入することを防止する。なお、水切部６の構成はこれに限定されるものではなく、例えば折曲辺９がなくてもよく、この場合には立上辺８の前端を防水パッキン１３に密着させればよい。
【００１４】
扉２は、天面の端部を下方に折り曲げて垂下辺１０となし、さらに蝶番３と反対側端部の垂下辺１０、すなわち取手５が取り付けられている垂下辺１０の先端を箱本体１の水平辺と平行に内側に折り返して折返辺１１を形成してある。この折返辺１１の底面には、塞ぎ部材１２が取り付けられている。この塞ぎ部材１２は、扉２を閉めた状態において、取手５側の水平辺７に密着し、折返辺１１と水平辺７との間を塞ぐ。これにより、扉２の折返辺１１と箱本体１の水平辺７との間に浸入した水が表面張力により水膜を形成することを防止することができるので、折返辺１１と水平辺７間の空隙を拭き取る必要もなく、電気機器収納用箱の外郭のみ拭き取れば良く、また、拭き取らずに扉２を持ち上げても電気機器収納用箱の外郭に沿って水滴が垂れ落ちるため、折返辺１１から雨水の水滴が落下せず安全である。なお、塞ぎ部材１２の取付位置については後に詳細に説明する。
【００１５】
塞ぎ部材１２の材質としては非吸水性の材質が好ましく、例えば非吸水性のパッキン、または皮膜形成された発泡ゴム、発泡ゴムを中空にしたパッキンなどが用いられる。吸水性の高い材質を用いると、塞ぎ部材１２自体が雨水を吸収してしまうため、扉２を持ち上げた際に塞ぎ部材１２が水滴を吸着し、箱本体１に持ち運ぶため課題の解決とならないが、吸水性の低い材質であれば、雨水が滴る心配がない。また、この塞ぎ部材は、扉２を開閉する際の衝撃を和らげる戸当たりとしての役割も成すものである。
【００１６】
本実施形態では、扉２の裏面の周縁に防水パッキン１３が取り付けられている。この防水パッキン１３は、扉２を閉めた状態において箱本体１の折曲辺９に密着し箱本体１の内部に雨水が浸入することを防止する。本実施形態では、防水パッキン１３の材質としては、ＥＰＤＭなどの材質を使用しているものである。このように、塞ぎ部材１２と防水パッキン１３の両方を備えることにより、扉２を開いた状態でも閉めた状態でも雨水の浸入を確実に阻止することができる。
【００１７】
図５に示す第２の実施形態及び図６に示す第３の実施形態は、第１の実施形態の塞ぎ部材１２を箱本体１側に形成したものである。これらの場合は、扉２を閉めた状態において扉２の折返辺１１に密着する位置に塞ぎ部材１２を形成する。これにより、第１の実施形態と同様に扉２の折返辺１１と箱本体１の水平辺７との間に雨水が浸入することがないので、扉２を持ち上げても折返辺１１から水滴が滴り落ちることがなくなる。
【００１８】
また、図２や、図５に示す実施形態は、箱本体１を水平に設置するので、塞ぎ部材１２と立上辺８の間に水滴が浸入し、扉２を開閉する際に内部機器に落ちる可能性がある。そのため、図６に示すように、蝶番３を取付けた一辺以外の三辺に塞ぎ部材１２を形成し、内部への水滴の侵入を防止するものである。
【００１９】
ここで、図１０〜図１４について塞ぎ部材１２の配置位置を説明する。何れも折曲辺１１及び水平辺７間に塞ぎ部材１２が形成されている。好ましい形態としては図１０に示すように、垂下辺１０と水平辺７の端部３０よりも内側に塞ぎ部材１２を形成しておき、且つ折返辺１１及び水平辺の２辺間に表面張力によって形成される水膜２００が維持される位置よりも端部３０側となる外側に塞ぎ部材１２を形成しておくものである。
【００２０】
図１１や図１２に示すように塞ぎ部材１２を端部３０より内側に形成し、折返辺１１の先端側に形成しておくと、水滴１００が折返辺１１に付着したままになり最終的に折返辺１１と水平辺７間に水滴１００が表面張力によって維持され水膜２００が形成される。また、図１３に示すように、折返辺１１及び水平辺７、塞ぎ部材１２の３辺に表面張力によって維持され水膜２００が形成される。つまり、図１１〜図１３に示すように水滴１００が貯まるような水平辺７及び折返辺１１が、塞ぎ部材１２よりも端部３０側に形成されていると、扉２の開放時に水平辺７、折返辺１１に維持された水滴１００の表面張力によって水膜２００が形成される危険性があり、その場合には、扉２開放時に水滴１００を持ち上げてしまい、箱本体１に水滴１００が滴下する恐れがある。
【００２１】
図１０のように配置する場合では、水平辺７及び折返辺１１間の端部３０側に塞ぎ部材１２を形成し、表面張力により水膜２００を形成することを防止する。また、塞ぎ部材１２は端部３０より内側で、水膜２００が形成される位置よりも外側に設け水膜２００が形成されないようにしているので、扉２開放時に箱本体１内に水滴１００が滴下する危険性がない。なお、この位置で塞ぎ部材１２を形成した場合に、折返辺１１及び水平辺７と塞ぎ部材１２の３辺によって水滴１００が表面張力により大きな水膜２００となった場合においても、自重により流れ落ちるため、扉２側に水滴１００に付着した状態で扉２を開閉させる危険性が少ないものである。そのため、景観が良く、塞ぎ部材１２に水滴１００が維持されることがない図１０の構造が水滴１００の落下の危険性が少ない望ましいものである。
【００２２】
水平辺７及び折返辺１１間の表面張力により形成される水膜２００は、水平辺７及び折返辺１１間の空隙の大きさ、または箱本体１の側板と水平辺７の折曲加工の際に生じる曲面の大きさによって水膜２００が形成される位置が変更となる場合もあるが、塞ぎ部材１２は端部３０より内側で、水膜２００が形成される位置よりも外側に設け水膜２００が形成されないように形成されることが望ましい。なお、水平辺７及び折返辺１１間の空隙の大きさによって水膜２００が形成されない場合もあるが、その場合でも、扉２を開放させる際に箱本体１に水滴１００が滴下することを防止するために、少なくとも表面張力の原因となる水滴１００が水平面７又は折返辺１１が露出されないように塞ぎ部材１２を形成しておくことが望ましい。
【００２３】
また、図１４については、塞ぎ部材１２を端部３０より突出させて形成したものであるが、この場合、扉２を閉じた状態において景観が悪く、塞ぎ部材１２を水平辺７に取り付ける場合には塞ぎ部材１２上に水滴１００が維持される可能性もあるため、図１０の実施形態とすることが好ましい。
【００２４】
図１５、図１６はそれぞれ折返辺１１、水平辺７に取付面１２ａを介して塞ぎ部材１２を一体形成したものである。このような場合においても、端部３０より内側に塞ぎ部材１２を形成しておくことが望ましい。更に、図１５に示すように折返辺１１に塞ぎ部材１２を形成した場合には、水平辺７及び塞ぎ部材１２間に水滴１００が表面張力で水が留まる位置より外側に位置させておくものである。同様に、図１６に示すように水平辺７に塞ぎ部材１２を形成した場合には、折返辺１１及び塞ぎ部材１２間に水滴１００が表面張力で水が貯まる位置より外側に位置させておくものである。このように、塞ぎ部材１２を位置させることによって、折返辺１１または水平辺７に水滴１００が貯まり表面張力により水膜２００を形成することがなくなるため、扉２を開放させた場合でも水滴１００の落下を防止することができるものである。
【００２５】
以上に説明したように、本発明に係る電気機器収納用箱は、扉２の折返辺１１と箱本体１の水平辺７との間、または垂下辺１０と水平辺７との間に塞ぎ部材１２を設けたので、垂下辺１０や折返辺１１と水平辺７との間に雨水が溜まることがなく、扉２を持ち上げても折返辺１１から雨水の水滴が落下することはなくなる。その結果、水滴の落下による内部機器の故障を防ぐことができるとともに、従来のように吸水紙などによって予め水膜を除去する手数を省くことができる。
【符号の説明】
【００２６】
１  箱本体
２  扉
３  蝶番
４  開口部
５  取手
６  水切部
７  水平辺
８  立上辺
９  折曲辺
１０  垂下辺
１１  折返辺
１２  塞ぎ部材
１２ａ  取付面
１３  防水パッキン
３０  端部
１００  水滴
２００  水膜
【図１】
2014036454.tif 000003
【図２】
2014036454.tif 000004
【図３】
2014036454.tif 000005
【図４】
2014036454.tif 000006
【図５】
2014036454.tif 000007
【図６】
2014036454.tif 000008
【図７】
2014036454.tif 000009
【図８】
2014036454.tif 000010
【図９】
2014036454.tif 000011
【図１０】
2014036454.tif 000012
【図１１】
2014036454.tif 000013
【図１２】
2014036454.tif 000014
【図１３】
2014036454.tif 000015
【図１４】
2014036454.tif 000016
【図１５】
2014036454.tif 000017
【図１６】
2014036454.tif 000018